(57)【要約】【課題】ベース上に設けられたモータを容易に移動可能な給水装置を提供すること。【解決手段】  給水装置１は、レール部１４を有するベース１０上の、レール部１４上にモータ２２を有するモータ直動式ポンプ２０と、モータ２２に設けられレール部１４を移動可能な移動手段４０とを有し、移動手段４０は、モータ２２に設けられた取付部２９に着脱自在に固定される台車部４３を有する前部移動手段４１と、モータ２２のモータフレーム３０が積載される台部４７に台車部４６が接続された後部移動手段４２と、を備えている。【選択図】      図１
2009174456.tif 000002
【特許請求の範囲】
【請求項１】
ベースと、
このベース上にその軸心が水平方向に固定されたポンプと、
前記ベース上に位置するとともに、前記ポンプに着脱自在に接続され、前記ポンプを駆動するモータと、
前記モータの下方に設けられ、前記ポンプとは離間する一方向に延設された案内部材と、
前記モータに設けられ、前記案内部材によって案内される被案内部材が取り付けられる被案内部材取付部と、を備えることを特徴とする給水装置。
【請求項２】
前記被案内部材取付部は、前記モータの前記ポンプと接続する一端側、及び、前記モータの他端側に設けられることを特徴とする請求項１に記載の給水装置。
【請求項３】
前記モータの一端側に設けられた前記被案内部材取付部に着脱自在に設けられた前部被案内部材をさらに備えることを特徴とする請求項２に記載の給水装置。
【請求項４】
前記モータの他端側に設けられた前記被案内部材取付部に着脱自在に設けられた後部被案内部材をさらに具備することを特徴とする請求項３に記載の給水装置。
【請求項５】
前記被案内部材取付部に固定された被案内部材をさらに具備することを特徴とする請求項２に記載の給水装置。
【発明の詳細な説明】
【技術分野】
【０００１】
本発明は、ベース上にポンプ及びモータが配置された給水装置に関し、特にモータの移動が容易なものに関する。
【背景技術】
【０００２】
建造物等へ生活用水や工業用水等を給水するために、水道本管の分岐管や受水槽等から引き込んだ水をポンプにより揚水させる給水装置が用いられている。このような給水装置は、屋外又は屋内のポンプ室等に設置されるため、ベース上に例えばモータ直動式のポンプが単数又は複数固定されて配置される。また、ベース上に、ポンプだけではなく、アキュムレータや制御盤等の各構成品が配置されている（例えば、特許文献１参照）。しかし、このようにベース上に各構成品を配置させると、ベースの面積（サイズ）は、各構成品を配置させるために大きくなる。即ち、給水装置を設置するにあたり、広い設置面積が必要となる。このように、設置面積が広くなると、設置箇所に制限が発生する虞や、スペースの有効利用が出来ない虞があった。
【０００３】
そこで、給水装置として、このようなベース上に、ポンプを固定し、さらに、ベース上に架台を設け、この架台に水槽、アキュムレータ及び制御盤等の各構成品を設置させるものも知られている（例えば特許文献２参照）。このように、ベース上に架台を設けることで、ベースの設置面積を低減させ、空間のデットスペースを低減させる工夫がなされている。
【０００４】
なお、モータ直動式ポンプは、例えば、モータの回転軸に、ポンプのインペラ、ガイドベーン、及び、ケーシングカバーが一体に組みつけられ、このようなモータをポンプ（ポンプケース）にボルトにより固定することで構成されているものが用いられる。即ち、ポンプは、ポンプケーシング内に、モータの軸心に設けられたインペラやガイドベーンを配置させることで、モータから直接インペラを駆動し、ポンプケーシング内の水を揚水する、というものである。なお、モータ直動式ポンプを用いない場合であっても、モータの回転軸とポンプの駆動軸とを接続し、モータにより回転させるポンプが用いられるものも知られている。
【特許文献１】特開２００２−３３２９９８号公報
【特許文献２】特開２００２−１９５１６７号公報
【発明の開示】
【発明が解決しようとする課題】
【０００５】
上述したような給水装置では次のような問題があった。即ち、上述したモータ直動式ポンプ等のモータを、ポンプに接続する場合には、Ｏリングシール等によりモータのフランジとポンプケーシングのフランジ（又は接続部）とを密閉し、互いのフランジをボルト固定することで一体に組みつけられている。しかし、このようなポンプやモータは、使用時間や経年変化により、メンテナンスやＯリングシールの劣化によるシール交換等を行なう必要がある。このような場合、ポンプからモータを取り外し、Ｏリングシールの交換やメンテナンスが行なわれる。
【０００６】
しかし、ベース上に構成品を配置させるために架台を設けると、ポンプ及びモータは架台の下方に位置することとなる。このため、モータの取り外し等に制限が発生してしまう。即ち、モータを取り外す際には、まず、モータとポンプとの固定用のボルト等を工具により比較的容易にできる。しかし、モータとポンプとの固定を解除し、モータをベース上から外部に移動させるときは、架台により、作業者がベース上に立って作業することが困難となる。そこで、モータの下部に当て木を行い、モータを架台下部から引きずりだす方法や、クレーン等を用いる方法、又は、無理な体勢や複数名の作業者によりモータを支える方法により、モータを移動させていた。
【０００７】
しかし、モータの下部に当て木を行なう場合には、モータやベース等に、モータを引きずり出す際に傷をつけてしまう虞があった。また、クレーンを用いる場合には、架台上部を開口させておく必要があり、また、クレーンの準備等が必要であった。
【０００８】
例えば、作業者が架台による制限のため無理な体勢でモータを支えて移動させる方法では、モータの落下の虞や各関節部を痛める虞もある。また、例え複数人で支持しても、モータ上部には架台があり、その支持に制限が発生する。
【０００９】
特に、労働省通達（平成６年９月６日  基発５４７号）による「職場における腰痛対策指針」には、満１８歳以上の男子労働者が人力のみにより取り扱う場合の重量は５５ｋｇ以下にすること、との旨の指針が成されている。しかし、このような５５ｋｇという重量を超えるのは勿論のこと、５５ｋｇ以下の重量であっても、１日に複数回モータの持ち上げ下げを繰り返した場合、腰等にかかる負担は甚大であり、腰痛等の原因になる虞もある。
【００１０】
そこで本発明は、ベース上にモータを有するポンプが設けられた給水装置であって、特に、モータを容易に移動することが可能なものを提供することを目的としている。
【課題を解決するための手段】
【００１１】
前記課題を解決し目的を達成するために、本発明の給水装置は次のように構成されている。
【００１２】
ベースと、このベース上にその軸心が水平方向に固定されたポンプと、前記ベース上に位置するとともに、前記ポンプに着脱自在に接続され、前記ポンプを駆動するモータと、前記モータの下方に設けられ、前記ポンプとは離間する一方向に延設された案内部材と、前記モータに設けられ、前記案内部材によって案内される被案内部材が取り付けられる被案内部材取付部と、を備えることを特徴とする。
【発明の効果】
【００１３】
本発明によれば、ベース上に設けられたモータを容易に移動可能な給水装置を提供することが可能となる。
【発明を実施するための最良の形態】
【００１４】
以下、本発明の一実施の形態に係る給水装置１を図１〜５を用いて説明する。図１は本発明の一実施の形態に係る給水装置１の外観を示す側面図、図２は同給水装置１に用いられるベース１０及び移動手段４０の外観を示す斜視図、図３は同給水装置１に用いられるモータ２２を示す正面図、図４は同移動手段４０の一部を示す斜視図、図５は同移動手段４０の一部を示す斜視図である。なお、図１〜５中、Ｂはボルトを、Ｆは水の流れ方向を示している。
【００１５】
図１〜５に示すように、給水装置１は、ベース１０と、ベース１０上に固定された複数（例えば３台）のモータ直動式ポンプ２０と、モータ直動式ポンプ２０のモータ２２に設けられた移動手段（被案内部材）４０と、ベース１０に設けられた架台５０と、架台５０に設けられた制御盤６０と、を備えている。
【００１６】
また、給水装置１は、モータ直動式ポンプ２０の吐出側に接続された吐出管７０に、流量検出器７１、逆止弁７２、アキュムレータ７３及び開閉弁７４を順次有し、開閉弁７４の下流には、給水口等の下流側へと接続可能なフランジ７５を有している。また、開閉弁７４とフランジ７５との間には、圧力検出器７６を有している。
【００１７】
図２に示すように、ベース１０は、枠組部１１と、枠組部１１の対向する一辺を繋ぐ台部１２と、枠組部１１及び台部１２上に固定されたポンプ固定板１３と、レール部（案内部材）１４とを備えている。
【００１８】
枠組部１１は、例えばその断面がコ字状のチャンネル部材により方形に組み合わせて形成されている。また、台部１２は、枠組部１１の互いに対向する２つのチャンネル部材間を渡すとともに、ポンプ固定板１３を、台部１２と対向するチャンネル部材（枠組部１１）と固定保持可能に形成されている。なお、枠組部１１及び台部１２は、その下面が地面等に固定可能に、一定の平坦度を有して形成されている。
【００１９】
ポンプ固定板１３は、例えば枠組部１１と台部１２との上面の一部に積載されるとともに、溶接又はボルト締結により固定されている。また、ポンプ固定板１３の上面には、モータ直動式ポンプ２０をボルトＢにより固定可能なボルト孔１５が複数設けられている。
【００２０】
レール部１４は、ポンプ固定板１３に固定されるモータ直動式ポンプ２０の台数分、枠組部１１及び台部１２に固定されている。レール部１４は、その断面がＬ字状の一対のレール１６を有しており、この一対のレール１６は、互いに隣り合う位置（端辺）に上方に延出する脱輪防止の壁部１７が設けられている。なお、レール１６間の距離は、壁部１７に後述する移動手段４０が当接した際に、移動手段４０がレール１６から脱輪しない距離に適宜設定される。
【００２１】
モータ直動式ポンプ２０は、ポンプ２１とモータ２２とを有しており、ポンプ２１とモータ２２とにそれぞれ設けられたフランジ２３、２４を介してボルトＢにより一体に接続されている。また、ポンプ２１及びモータ２２のそれぞれのフランジ２３，２４間には、Ｏリングが設けられている。このＯリングは、平面に設けられるものでも、円筒面に設けられるものでもどちらでも良い。
【００２２】
ポンプ２１は、ポンプケーシング２５と、このポンプケーシング２５内に設けられたインペラと、を備えている。また、ポンプ２１には、例えば水槽や水道本管からの分岐管に接続される吸込口２６と、下流と接続される吐出口２７と、を備えている。
【００２３】
モータ２２は、回転軸２８を有し、制御盤６０からの指示により運転・停止が可能に形成されている。また、モータ２２は、その端部にフランジ２４を有しており、フランジ２４には、移動手段４０を取り付け可能な２つ（一対）の取付部（被案内部材取付部）２９が形成されている。また、モータ２２の外形状は、例えば円筒状のモータフレーム３０を有しており、その外周に、熱放出（熱交換）用のフィン３１が複数設けられている。なお、一対の取付部２９は、それぞれがレール１６上に位置するように、フランジ２４に形成されている。
【００２４】
移動手段４０は、モータ２２の取付部２９にそれぞれ固定される前部移動手段４１と、モータ２２のモータフレーム３０が積載される後部移動手段４２と、を備えている。
【００２５】
前部移動手段４１は、台車部４３と、台車部４３の上部に設けられ、取付部２９をその間に挿入可能な互いに向かい合う一対の壁部４４と、壁部４４に設けられ、取付部２９に締結することで固定可能に形成された蝶螺子４５と、を備えている。
【００２６】
後部移動手段４２は、それぞれが対向する一対のレール１６を移動可能に配置された一対の台車部４６と、この台車部４６の上部に設けられ、モータ２２が積載可能に形成された板状の台部４７とを備えている。台部４７は、その上面に、モータフレーム３０の外面を少なくとも一点（被案内部材取付部）以上で当接可能な保持部４７ａが形成されている。
【００２７】
また、前部移動手段４１及び後部移動手段４２とは、モータ２２がポンプ２１に接続されている際に、モータ２２及びレール１６間に着脱自在に位置し、モータ２２及びレール１６のどちらか一方に当接するとともに、他方とは離間する大きさに形成されている。
【００２８】
即ち、モータ２２及びポンプ２１が接続しているときには、前部移動手段４１は、蝶螺子４５により取付部２９に固定され、且つ、台車部４３とレール１６とが離間することとなる。
【００２９】
また、後部移動手段４２は、モータ２２と離間してレール１６上に配置され、且つ、台部４７がいずれか一方に傾くとともに、台部４７の下面端部とレール１６の壁部１７上端が当接し、完全に横たわることなく配置される。なお、移動手段４０（４１，４２）は、対となる一方（左右いずれか）の台車部４３（又は台車部４６）がレール１６の壁部１７に当接しても、他方の台車部４３（又は台車部４６）が脱輪しないような間隔に適宜設定されている。
【００３０】
架台５０は、複数（例えば４本）の脚部５１と、各脚部５１の上端部に設けられ、各脚部５１をそれぞれ連結させる複数の梁材５２と、を備えている。なお、脚部５１及び梁材５２は、例えばその断面がＬ字形状やコ字形状に金属材料（例えば鋼鉄等）により形成されたアングル部材やチャンネル部材等により形成されている。各脚部５１及び各梁材５２とは、ボルト又は溶接等により強固に固着されている。また、架台５０は、脚部５１の下端部が、枠組部１１の内面又は外面（外表面のいずれか）にボルト又は溶接等により強固に固定されている。このような架台５０は、ベース１０上であって、ポンプ２１が配置されていない範囲（レール１４上）に設けられることとなる。
【００３１】
制御盤６０は、架台５０の上部にボルト等により固定されている。また、制御盤６０は、上述した複数台のモータ２２、流量検出器７１及び圧力検出器７６に信号線Ｓを介して接続されており、流量検出器７１及び圧力検出器７６の検出結果によりモータ２２の運転を制御可能に形成されている。
【００３２】
このように構成された給水装置１では、制御盤６０の電源をＯＮとすることで、モータ２２及び制御盤６０の制御回路部に電力が供給される。制御盤６０の制御回路部は、予め設定されたモータ２２の運転制御の情報に基いてモータ２２を運転（回転）させる。
【００３３】
モータ２２が回転すると、駆動軸を介してポンプ２１が駆動（作動）されることとなる。ポンプ２１が回転すると、吸込口２６から水が吸い込まれるとともに、ポンプケーシング２５内部に進入した水は、インペラ及びポンプケーシング２５により増圧されるとともに、ポンプ２１の吐出口２７から吐出される。
【００３４】
ポンプ２１の吐出側から吐出された水は、吐出管７０、流量検出器７１、逆止弁７２及び開閉弁７４を介してフランジ７５へ移動し、フランジ７５から給水装置１の下流に設けられた建造物の蛇口等の給水口から給水されることとなる。なおこのとき、アキュムレータ７３に蓄圧されることとなる。
【００３５】
このとき、流量検出器７１及び圧力検出器７６は、常時、ポンプ２１からの吐出流量及び吐出圧力を検出し、この検出結果を信号線Ｓを介して制御回路部へ送信する。制御回路部は、信号線Ｓから受信した検出結果と、制御回路部に予め設定してある運転制御に対するポンプ２１の吐出流量及び吐出圧力等の制御値とを比較し、検出結果が制御値と近似するようにモータ２２に指示を与える。このように、ポンプ２１の吐出量（水の供給量）が所定量となるように、制御回路部はモータ２２を制御する。
【００３６】
このような給水装置１の運転が、所定の時間又は期間行なわれた場合には定期的にメンテナンスが行なわれる。また、給水装置１の使用により、Ｏリングが劣化した場合には、Ｏリングの交換がなされる。次に、Ｏリングの交換時の説明を行なう。なお、ここでのＯリングの着脱である交換作業は、従来の円筒面又は平面のＯリングの着脱と同一のため、その詳細は省略する。
【００３７】
まず、定期メンテナンス又はＯリングの劣化による水漏れ発生時に、作業者は、給水装置１の運転を停止させる。次に、ポンプ２１の上流に設けられた開閉弁と、ポンプ２１の下流に設けられた開閉弁７４を閉とする。次に、ポンプ２１内の水抜きを行なう。
【００３８】
次に、モータ２２の取付部２９に、蝶螺子４５を締結することで、前部移動手段を取り付ける。また、レール１６上であって、モータ２２の軸心方向の中心からフランジ２３，２４とは離間する方向にずれた位置に、後部移動手段４２を配置させる。
【００３９】
なお、このとき、ポンプ２１にモータ２２が固定されているため、モータ２２の取付部２９に固定された前部移動手段４１は、レール１６に当接せず、レール１６から一定間隔浮いた状態となっている。同様に、後部移動手段４２は、その上部はモータフレーム３０から一定以上離間する状態でレール１６上に配置されることとなる。なお、後部移動手段４２は、二点の台車部４６により支えられているため、台部４７がレール部１４の延設方向のどちらか一方に傾き、台部４７の下面端とレール１６の壁部１７上端とが当接することとなる。
【００４０】
この状態で、作業者は、ポンプ２１とモータ２２とのフランジ２３、２４を締結しているボルトＢを脱離させるとともに、モータ２２をポンプケーシング２５から離脱させる。この、ポンプケーシング２５からモータ２２を離脱させる際には、モータ２２がポンプケーシング２５から離脱時に、レール１６から脱落しないよう、作業者は、モータ２２を支えながら引っ張ることで離脱させる。次に、作業者は、ポンプケーシング２５からモータ２２を離脱させたら、一対の前部移動手段４１を一対のレール１６上にそれぞれ当接させる。これにより、作業者は、モータ２２の一方側であるフランジ側をレール１６に当接させるとともに、他方を持ち上げることで、作業者がモータ２２を支える際に、持ち上げなければならない重量が低減することとなる。
【００４１】
この状態で、作業者は、さらに、モータ２２の他方側の下面に配置された後部移動手段４２の台部４７上面に設けられた保持部４７ａに、モータ２２のモータフレーム３０の他方を積載する。モータ２２が保持部４７ａに積載されると、後部移動手段４２は、台部４７の下面がレール１６の延設方向（又は延設方向と直交する方向）に対して平行に位置することとなる。なお、台部４７の下面がレール１６の壁部１７に当接している際は、作業者が後部移動手段４２を、台部４７の下面がレール１６に対して平行となるように支えながら、モータ２２を後部移動手段４２上に積載する。
【００４２】
これにより、モータ２２は、２つの前部移動手段４１の台車部４３及び後部移動手段４２が有している２つの台車部４６により、レール１６上に四点保持されることとなる。この状態で、作業者は、レール１６のポンプが設けられている側がら離間する方向にモータ２２を移動させる。なお、一対のレール１６の幅は、一対の前部移動手段４１、４１（取付部２９、２９）の間隔、及び、後部移動手段４２の台車部４６、４６の間隔（脱輪しない間隔）に形成されている。このため、モータ２２に移動手段４０を接続してモータ２２を移動させた際に、各台車部４６がレール１６から脱輪することがない。
【００４３】
また、モータ２２の移動時に、モータ２２の移動方向がレール１６に対して角度を有して移動させた場合、レール１６の壁部１７に移動手段４０のいずれかの台車部４３，４６又は外面のいずれかが当接することとなる。しかし、いずれかの台車部４３，４６が壁部１７に当接しても、一対の台車部４３、４６の幅がレール１６の幅よりも狭いため、台車部４３，４６が脱輪せずに、壁部１７により案内されることで、モータ２２を移動することができる。
【００４４】
モータ２２がレールの端部に移動することで、外部からであっても、モータ２２のＯリングの交換作業やメンテナンスが可能となる。
【００４５】
また、ベース１０からモータ２２を出す場合であっても、モータ２２持ち上げ時に架台５０とモータ２２とが干渉しにくいベース１０の端部にモータ２２が移動しているため、作業者は容易にモータ２２を持ち上げることが可能となる。このように、作業者は、モータ２２を移動させて、メンテナンス等を行う。
【００４６】
モータ２２のメンテナンスが終わったら、作業者は、モータ２２に移動手段４０を接続し、移動させ、上述の手順の逆を行なうことにより、モータ２２をポンプ２１に接続させる。なお、レール１６からモータ２２を離間させた際には、始めに、モータ２２を後部移動手段４２の台部４７上面に配置させ、移動手段４０により、レール１６上にモータ２２を配置させる。
【００４７】
このように構成された給水装置１は、移動手段４０により、モータ２２をレール１６に沿って移動させることができる。このように、移動手段４０を用いることで、モータ２２の移動が容易にできるため、作業性の向上となる。また、移動手段４０を用いることで、作業者のモータ２２の持ち上げ下げは、最低限の回数でよく、また、モータ２２を持ち上げて移動させる距離も短い。さらに、移動手段４０の取り付けの際には、先に前部移動手段４１を設けることにより、前部移動手段４１によりモータ２２を支持し、他端側は作業者が持ち上げていることで、モータ２２の重量を分散させることも可能となり、後部移動手段４２を配置させることが容易となる。
【００４８】
特に、Ｏリングの交換は、使用時間や漏れ増大時に頻繁に行なわれるものであり、このような交換毎に持ち上げやモータ２２の移動を行なわなくてよく、作業時間の短縮にもつながる。また、作業者のモータ２２の持ち上げ下げも確実に少なくなるため、作業者の体にかかる負担も防止することが可能となる。特に、腰や足（膝）等にかかる負担を少なくすることで、腰痛や関節痛、さらには怪我を防止し、作業者の労働環境をも向上させることができる。
【００４９】
レール１６から移動手段４０が脱輪しない構成とすることで、移動手段４０の脱輪によるモータ２２のレール１６からの転落を防止し、安全性を向上させるとともに、モータ２２の転落による破損も防止することが可能となる。即ち、モータ２２を容易且つ確実に移動させることが可能となる。
【００５０】
また、各モータ２２が一台あたりに、それぞれ一対の前部移動手段４１と後部移動手段４２を設ける構成であっても、給水装置１一台に対して一対の前部移動手段４１と後部移動手段４２を設ける構成であっても、作業者一人に対して移動手段４０を持たせる構成でもよい。
【００５１】
即ち、従来の給水装置１とは、ベース１０にレール部１４を有する構成としていれば、移動手段４０を少なくとも一組（一対の前部移動手段４１及び後部移動手段４２）があれば良い構成であるため、移動手段４０の製造コストを低減することが可能となる。また、レール１６を共有とすることで、様々な形状・サイズのモータ直動式ポンプ２０やベース１０に対応することが可能となり、汎用性を向上させることも可能となる。また、前部移動手段４１は、壁部４４の間にモータ２２の取付部２９を配置させ、蝶螺子４５で締結させる構成としたため取付部２９の厚さ等が寸法精度や設計等により異なっていても用いることが可能となり、汎用性が高い。
【００５２】
上述したように給水装置１によれば、モータ２２の下方に位置するレール１６を、移動手段４０が脱輪しない構成でベース１０に設けることで、モータ２２を容易、且つ、確実に移動することが可能となる。また、作業者は、蝶螺子４５で前部移動手段４１をモータ２２に固定し、後部移動手段４２上にモータ２２を積載させるだけで移動可能となるため、略作業工程を増大させることなく、移動の作業性を向上させることが可能となる。また、作業者の負担も低減することが可能となる。
【００５３】
なお、本発明は前記実施の形態に限定されるものではない。例えば、上述した移動手段４０は、前部移動手段４１及び後部移動手段４２を有する構成としたが、前部移動手段４１のみを設ける構成としてもよい。前部移動手段４１のみを設けることで、前部移動手段４１によりモータ２２を支持し、他端側は作業者が持ち上げていることで、モータ２２の重量を分散させることも可能となり、モータ２２を引くことで、容易にモータ２２を移動させることが可能となる。なお、前部移動手段４１のみではなく、後部移動手段４２のみを設ける構成でもよい。また、前記移動手段４１及び後部移動手段４２の一方又は両方がモータ２２に固定されている構成でもよい。
【００５４】
また、例えば、上述した給水装置１では、前部移動手段４１の固定方法として、壁部４４間にモータ２２の取付部２９を配置させ、蝶螺子４５により取付部２９を直接締結し、押し付けて固定する方法としたが、これに限られない。例えば、蝶螺子４５の先端に、さらに蝶螺子４５の回転に応じて、蝶螺子４５の軸心方向に移動可能であって、その面方向がフレキシブルに変化する板材を設けてもよい。このような板材を設けることで、取付部２９と板材との固定面積が向上することとなる。これは、取付部２９と蝶螺子４５との固定面積を向上させると、前部移動手段４１のモータ２２の自重による倒れを防止することが可能となる。
【００５５】
即ち、蝶螺子４５のねじ部により、取付部２９を固定すると、例えば、モータ２２の自重と、前部移動手段４１との位置により、前部移動手段４１が斜め方向に押圧される場合がある。このように、斜め方向に前部移動手段４１が押圧された場合、特に、モータ２２が大型の場合であって固定のための面積が小さい場合、回転モーメントに対して必要な面積が得られず、前部移動手段４１が脱離することや、蝶螺子４５に過度な力が加わり、蝶螺子４５が変形する虞がある。このため、固定面積を大きくすることで、回転モーメントに対する耐力を得ることが可能となり、前部移動手段４１の脱離を防止するとともに、耐力を向上させることが可能となる。
【００５６】
また、上述した後部移動手段４２は、台部４７に一対の台車部４６を設ける構成としたが、これは、モータフレーム３０に後部移動手段の取付部を設けることで、前部移動手段４１と同一構成のものとしてもよい。
【００５７】
また、後部移動手段４２の台部４７は板状であるが、保持部４７ａを湾曲させることで、モータ２２の外周を点ではなく面で支えるようにしてもよい。
【００５８】
さらに、レール部１４は、壁部１７を互いに隣り合う端辺に設ける構成としたが、これは、両端辺に壁部を設ける構成としてもよい。このように、レール１６の両辺に壁部を設けることで、より確実に移動手段４０の脱輪を防止することが可能となり、モータ２２の破損を確実に防止することができる。
【００５９】
また、上述した前部移動手段４１は蝶螺子４５を用いるとしたが、取付部２９を固定可能であれば、六角ボルトであってもよく、また、スプリング等により取付部２９を固定する構成でもよい。この他にも、上述した構成では、流量検出器７１及び圧力検出器７６を有する構成としたが、どちらか一方も設ける構成としてもよい。この他、本発明の要旨を逸脱しない範囲で種々変形実施可能である。
【図面の簡単な説明】
【００６０】
【図１】本発明の一実施の形態に係る給水装置の外観を示す側面図。
【図２】同給水装置に用いられるベース及び移動手段の外観を示す斜視図。
【図３】同給水装置に用いられるモータを示す正面図。
【図４】同移動手段の一部を示す斜視図。
【図５】同移動手段の一部を示す斜視図。
【符号の説明】
【００６１】
１…給水装置、１０…ベース、１１…枠組部、１２…台部、１３…ポンプ固定板、１４…レール部、１５…ボルト孔、１６…レール、１７…壁部、２０…モータ直動式ポンプ、２１…ポンプ、２２…モータ、２３、２４…フランジ、２５…ポンプケーシング、２６…吸込口、２７…吐出口、２８…回転軸、２９…取付部、３０…モータフレーム、３１…フィン、４０…移動手段、４１…前部移動手段、４２…後部移動手段、４３、４６…台車部、４４…壁部、４５…蝶螺子、４７…台部、４７ａ…保持部、５０…架台、５１…脚部、５２…梁材、６０…制御盤、７０…吐出管、７１…圧力検出器、７２…逆止弁、７３…アキュムレータ、７４…開閉弁、７５…フランジ、Ｂ…ボルト、Ｓ…信号線。
【図１】
2009174456.tif 000003
【図２】
2009174456.tif 000004
【図３】
2009174456.tif 000005
【図４】
2009174456.tif 000006
【図５】
2009174456.tif 000007